(57)【要約】【課題】  排便が肌に触れ難く、清拭容易で、衛生的なおむつパッドを提供して、おむつ交換の自助処理を容易にして介護負担を軽減するとともに、トイレ設備がない場所でのポケットタイプ緊急トイレをも提供する。【解決手段】  柔軟性ある液吸収透過性外層シートと液不透過性内層シートの二層一体化材で成る穴のないパッド片と穴のある同様のパッド片複数を重ね、１対ずつ各外周内周を順次蛇腹状に繋ぎ合わせて漏れのない便収容袋を作り、袋の中空開放端を穴明きおむつ内側に穴を合わせて密着して穴明きおむつパッドとする。液吸収透過性パッド外層シートを穴から裏返し状態で取り出し、肛門臀部の排便等を汚れのない外層シートで清拭しながら液不透過性内層シートで包まれる裏返し状の袋にして手を汚さず衛生的に密封排出し、繰り返しパッド交換を可能とする。【選択図】  図１
2008132193.tif 000002
【特許請求の範囲】
【請求項１】
液吸収性パルプ・ポリマー等を全面或いは部分的に含む柔軟性ある液透過吸収性外層シートと液不透過性内層シートの二層一体化材からなる穴のないパッド片と、中央部に穴を設けた同様のパッド片複数枚を重ね合わせ、各パッド片同志を順次外周部及び内周部で蛇腹状に繋ぎ合わせてくびれを設け液透過吸収性外層シートで覆われる漏れのない液不透過性内層シートの袋状とし、該袋の底で膚に接する肛門周辺等接触パッド部と該袋の筒部で蛇腹状にくびれて畳まれた肛門周辺等接触パッド補充部からなるパッドの中空部の開放端縁部外側に剥離可能な粘着部を設けて、これを肛門付近に穴を設けたおむつの内側に穴を囲んで取り付けた構造のパッドおむつで該パッドの底部を、穴を通して一部裏返しで取り出し、更に膚面を清拭しながら排便とともに取り出し、裏返しとなった該粘着部で排泄物を区分した袋状に密閉し廃棄するパッドおむつ。なお穴は排尿用を兼務する場合を含めさまざまな形状を含む。
【発明の詳細な説明】
【技術分野】
【０００１】
本発明は特願２００５−１４７５２２の“取り出し穴のある重ね折りパッド・おむつ”の別の構成法に関する。
【背景技術】
【０００２】
使い捨ておむつは急速に赤ちゃんや高齢者向けに普及し、着用者の排便後の気持ち悪さにもかかわらず製造容易性やコスト採算性から吸液性シート・液吸収剤パルプ・液不透過性シート等を単純に重ね合わせた単層の裁断材で形成するものが普及している。排便時に衛生的なパッドとおむつとして、袋状のパッドを蛇腹状に折りたたんで穴明きおむつの内側に取りつけ裏返して取り出す多層構造案が考案されている。
【０００３】
これに関し、下記先行例がある。
【特許文献１】特願２００５−１４７５２２  取り出し穴のある重ね折りおむつ
【発明の開示】
【発明が解決しようとする課題】
【０００４】
特願２００５−１４７５２２の“取り出し穴のある重ね折りパッド・おむつ”は、袋状であるパッドの筒部分を蛇腹状の重ね折りに依り構成しており、排出時に汚れていないパッド面で膚を清拭し裏返しで排出するため衛生的であるが、袋の重ね折りの工程があるため生産性が劣り且つさまざまな形状を構成しにくい欠点を有す。コスト軽減しにくい課題がある。
【０００５】
本発明の目的は、上記従来技術の課題を解決し、量産に適し安全性能を向上する衛生的おむつパッドを提供することにある。
【課題を解決するための手段】
【０００６】
本発明は上記目的を達成するために次の構成を備える。
液吸収性パルプ・ポリマー等を全面或いは部分的に含む柔軟性ある液透過吸収性外層シートと液不透過性内層シートの二層一体化或いは貼り合わせ材からなる穴のないパッド片と、中央部に穴を設けた同様のパッド片複数枚を互いに逆配列して重ね合わせ、各パッド片を順次外周部及び内周部で蛇腹状に繋ぎ合わせて液透過吸収性外層シートで覆われた漏れのない液不透過性内層シートの袋とし、該袋の底で膚に接する肛門周辺等接触パッドと、該袋の筒部の蛇腹状くびれ部分の肛門周辺等接触パッド補充部とからなるパッドの中空部の開放端縁部外側に剥離可能な粘着部を設けて、これを肛門付近に穴を設けたおむつ内側に穴を囲んで取り付け、該パッドを底部から穴を通して裏返しで排泄物と伴に取り出す。剥離した該粘着部は外側から内側に反転し互いに接着して排泄物を密閉し衛生的に廃棄できる。
【０００７】
本考案に依れば排便時に裏返して該袋を取り出すと、袋にくびれがある為排便等がこのくびれによって部分的に区分され易く開口部への漏れを防止してより安全で衛生的である。又パッド片の対同志を外周、内周で順次接合するので折る作業が伴わず従来の溶融接合方法等を取り易く製造作業性が良い。
【０００８】
又本構成法に依れば、パッド片や穴の形状等は単純な形状に限らず自由度を高く形成できる。各パッド片に排尿用穴と排便用穴とを設けおむつパッドを取り出し易くすることも可能になり、また肛門周辺等接触パッドならびに同パッド補充部の各パッド片の大きさ・形状を肛門の膚接触面側からおむつ接着面側に近付くにつれて順次大きく又は小さく、或いは部分的に変形して臀部等の凹凸傾斜に適合させ或いは穴の大きさを順次大きく、又は小さく或いは部分的に変形して取り出し穴に傾斜を持たせる等さまざまに使い勝手を良くすることが可能で好ましい。
【０００９】
更に肛門周辺等接触パッドの中心でおむつ穴に嵌合する部分に窪みを設け、この部分にパルプ・ポリマー等の液吸収材をより多く充実して液吸収能力を拡大し、且つこの窪み部でパッドを取り出し易くする形成も容易である。
【発明の効果】
【００１０】
本発明によれば、従来のおむつやパッドの製造方法の基本的延長線上で容易に各種形状の経済的衛生的なおむつパッドを製造できる。
【発明を実施するための最良の形態】
【００１１】
気持ち良く自助処理が容易で衛生的なおむつパッドとそのおむつ、或いは扱い易い簡易携帯型トイレを提供する目的を簡単な構造で実現する。
【実施例１】
【００１２】
図１はパッドと穴明きおむつの斜視図。図２はパッド斜視・断面説明図。図３はパッドの一部をおむつより排出中の斜視・断面説明図。図４は各パッド片の平面説明図。図５はパッドの全体構成の斜視・断面説明図。図６は伸展時のパッドの断面説明図。図７はパッドの剥離可能な粘着部と清拭層の斜視・断面説明図。図８は取出し中のパッドの斜視・断面説明図。図９は排出後パッドの開口部閉鎖の断面説明図。図１０は排尿・排便用パッドを備えたおむつ平面、断面説明図。図１１は異形状パッド片、排尿排便穴、窪みを備えたおむつパッドの平面・断面説明図。図12は穴明きおむつとパッド受けシール、図13は簡易携帯型トイレである。
【００１３】
本発明の一実施例を、以下図を用いて説明する。おむつパッドは図１に示すように穴明きおむつの内側に重ね合わせ畳んだ状態で穴を合わせて粘着部でとりつけられる。排便で汚れる部分は順次穴を通しておむつ外に裏返しで取り出される。
【００１４】
図２は取り出し前の断面でパッドは液透過吸収性外層シートで覆われ、漏れのない液不透過性内層シートのくびれのある袋である。この袋の底部分をおむつパッドとして肛門周辺等の膚に当て排便等を受ける。袋の筒部分は蛇腹状に畳まれており取り出しとともに伸展し穴に収束して取り出されるパッドの補充部である。袋の中空穴の開口部はおむつ穴に貫通しおむつ内側に密着している。
【００１５】
図３のように排便前に肛門部周辺のパッドを予め穴を通して一部裏返しに取り出しておくと排便が周りに広がりにくい。排便とともに排泄物と汚れたパッド外面を裏返し状態で次々に穴に収束し取り出せば汚れてないパッド該補充部が臀部・肛門部等を清拭しつつ袋の内側に閉じ込められるので衛生的である。
【００１６】
図４はパッドを構成する各パッド片で、それぞれ柔軟性ある液透過吸収性外層シートと液不透過性内層シートの二層一体化或いは貼り合わせ材からなり、この中にパルプ、ポリマー等を含んでも良い。パッド片は穴のない肛門周辺等接触パッドと、中央部に排便やパッド自身を取り出す穴を設けた同様の補充部のパッドである。
【００１７】
図５の穴のないパッド片は液透過吸収性外層シート側が肛門等の膚に触れる向きとし、これに穴のあるパッド片を複数枚重ねて各パッド片の内層シート同志、外層シート同志が相対向するように配列し、液不透過性内層シートが対向するパッド片同志を外周部で、液透過吸収性外層シートが対向するパッド片同士をパッド内周部で少なくとも液不透過性内層シートに依って漏れなく接合して蛇腹状くびれのある漏れのない袋を作る。各パッドの繋ぎ合わせは（５０２），（５０３）の矢印で示す部分の加熱溶融圧接や接着材等により可能である。また液吸収材は穴を通過する時にシートが容易に折れ曲がるように必ずしも全面的に分布させる必要はなく、穴への放射線に沿って互い違いにＹ字型模様を複数配置する等、シートの柔軟性を保ち且つ穴への収束性を高めるのが好ましい。特にパッドを穴から取り出す時におむつ穴と膚面が離れたときにもシートの適度の柔軟性が筒状を維持して排便等の滴下を防止する。又おむつ穴もあまり小さいと排便をパッドとともに排出しずらくなり注意が必要である。  
【００１８】
図６に示す様にパッドは該肛門周辺等接触パッド補充部の開放端外縁部で内外層シート外側になる面の取り出し穴の近周辺に剥離可能な粘着部を設け、肛門付近に穴を設けたおむつの内側に密着し固定する（図７）。排便時には該パッドは汚れた部分から穴に順次取り出し同パッド補充部が肛門等の遠外周辺から穴に向かって膚面を清拭する。トイレットペーパーを使う要領で拭けば、手を汚さずにきれいに肛門周辺等を清拭でき、この汚れ部は袋の内側となり、今まで袋の内側できれいな液不透過性シートが外側となってこれを覆いおむつの外に取り出される。
【００１９】
この状態を図８に示す。該パッドは剥離可能な開口部粘着部でおむつ内側に取り付けられるが、この粘着部はおむつ穴の外周辺から内周辺に向かって剥離されるように設けられているのでスムーズに剥がれる。このとき粘着部は膚面から少し離して取り出す注意が必要である。おむつパッド開口部の外側面だった粘着部は裏返しによって開口部内側面になりこの粘着部で開口部を封止密閉できるので外部に悪臭を出さない。
【００２０】
尚、図１０のように排尿用と排便用を独立におむつに設けることは可能で、取り出し穴の大きさや形状も多様に形成でき、またパッドの重ね合わせ枚数も増加できることは言うまでもない。更に図１１のように、排尿、排便用に２つ設けた穴の近接部分に細い切断を設けてこれを連結し一つの取り出し穴とすれば排便と同時に起こる排尿にも対応してパッドをその都度部分的に引き出せば膚面を排泄物に接触しないように清潔に保ち汚れたパッドを取り出し易くできる。
【００２１】
また本方式に依れば該肛門周辺等接触パッド部に取り出し穴に嵌合する窪みを設け、この窪みの液透過吸収性シートに、或いは液不透過性シートとの間にパルプ・ポリマー等の液吸収材を充実して液吸収性を高め、且つ該パッド補充部の各パッド片が横方向にずれるのを防止し、また該パッドを取り出す時のつまみにもなる。更に本方式に依れば、該パッドを構成する各パッド片の大きさ・形状や穴の形状を肛門等の膚に触れる側からおむつ接着面側に行くにしたがって、順次大きく、または小さく或いは部分的に形状を変えて臀部・陰部周辺の凹凸傾斜に適合させ易く、漏れ防止やパッド自身の取り出しを容易にして衛生的で扱い易いおむつパッドを実現できる。
【００２２】
尚、穴明きおむつは使い捨て用に限らず、ブリーフタイプのパンツ、或いは繰り返し使える布タイプ等いずれでも良く、穴周辺にパッド粘着部用受けシール部を設ければ（図１２）、横方向のずれには強い摩擦を有するが、おむつパッドを穴の外周辺から穴の中心に向かって剥離するのは容易な性質のもので実現できる。このときパッドは穴を通る中心線で左右に折り曲げ、更に臀部形状に合わせて前後に湾曲させて密着性を良くすると漏れ防止に良い。
【００２３】
又図１３のようにおむつの替わりに穴を設けた台紙に本パッドを同様の要領で取りつければ簡易携帯型トイレを構成できトイレのない野外や災害等の緊急事態、或いは渋滞中の車中で止む無く用を足したいとき等に便利で衛生的な手段を提供できる。
【産業上の利用可能性】
【００２４】
現在普及しているおむつパッド等の素材が同様に使用でき、製造技術上もシート状の素材の切断加工等が可能なため折り加工と比較して製造コスト上も有利である。老人・病人・身体障害者のいる家庭、病院、医療福祉機関等で利用分野は多数あり、着用者自身の排便時の気持ち悪さを極力少なくして自助努力を促進しやすい。又トイレ設備のない野外空間や渋滞時の自動車内密閉空間内、或いは災害緊急時等の使用等にも適用し易く、その普及分野は広くて産業上の利用可能性は高い。
【図面の簡単な説明】
【００２５】
【図１】おむつパッドと穴明きおむつの斜視説明図。
【図２】おむつパッド斜視・断面説明図。
【図３】おむつパッドの一部を排出中の斜視・断面説明図。
【図４】おむつパッドを構成する各パッド片の平面説明図。
【図５】おむつパッドの構成の斜視・断面説明図。
【図６】伸展時のおむつパッドの断面説明図。
【図７】おむつパッドの剥離可能な粘着部と清拭層の斜視・断面説明図。
【図８】裏返し排出中のおむつパッドの斜視・断面説明図。
【図９】排出後のおむつパッド開口部閉鎖の断面説明図。
【図１０】排尿・排便用パッドを備えたおむつの平面、断面説明図。
【図１１】異形状パッド片、排尿排便穴、窪みを備えたおむつパッドの平面・断面説明図。
【図１２】おむつパッド用おむつの斜視説明図。
【図１３】簡易携帯型トイレ斜視説明図。
【符号の説明】
【００２６】
１０１    おむつパッド
１０２    パッドの穴
１０３    パッド用の穴明きおむつ
１０４    おむつの穴
１０５    おむつパッドの剥離可能な粘着部
１０６    パッドの一部取り出した部分
２０１    パッドの袋の底部分（肛門周辺等接触パッド）
２０２    パッドの袋の筒部分（肛門周辺等接触パッド補充部）
２０３    液透過吸収性外層シート
２０４    液不透過性内層シート
２０５    液透過吸収性外層シートと液不透過性内層シートの二層一体化シート
２０６    パッド外周部の蛇腹状繋ぎ合わせ部（パッド外周接合部）
２０７    パッド内周部の蛇腹状繋ぎ合わせ部（パッド内周接着部）
３０１    一部を裏返し状態で取り出したおむつパッド（１０６）
４０１    穴のないパッド片（肛門周辺等接触パッド片）
４０２    穴のあるパッド片（肛門周辺等接触パッド補充部の各パッド片）
５０１    おむつパッド片の配列
６０１    肛門周辺等接触パッド補充部の開放端外縁部外層シート外側
６０２    肛門周辺等接触パッド補充部の開放端外縁部内層シート外側
７０１    乾式清拭シート層
７０２    湿式清拭シート層（乾式清拭シート層の一部）
７０３    谷折り部分（液透過吸収性外層シート）
８０３    裏返しで袋の内側になった液透過吸収性外層シート（２０３）
８０４    裏返しで袋の外側になった液不透過性内層シート（２０４）
８０６    裏返しで袋の内側になったパッド外周部接着部（２０６）
８０７    裏返しで袋の外側になったパッド内周部接着部（２０７）
９０１    裏返しのおむつパッドの開口部付近
９０５    裏返しでパッド開口部内側になった封止兼用の剥離された粘着部（１０５）
１００１  排尿用、排便用パッドを別々に設けたおむつ
１１０１  各パッド形状、穴形状を異にするおむつパッド  
１１０２  排尿用接触パッドを兼備する肛門周辺等接触パッド補充部のパッド
１１０３  排尿用窪み
１１０４  排便用窪み
１１０５  パルプ・ポリマー等液吸収材を充実した液透過吸収性シート部
１１０６  肛門周辺等の凹凸に適合化したおむつパッド傾斜部
１１０７  排便・排尿兼用の連結取り出し穴（１０２）
１２０１  おむつのパッド粘着部受けシール
１３０１  穴明き台紙とおむつパッドによる簡易携帯型トイレ
１３０２  穴明き台紙
１３０3  前後左右の湾曲
【図１】
2008132193.tif 000003
【図２】
2008132193.tif 000004
【図３】
2008132193.tif 000005
【図４】
2008132193.tif 000006
【図５】
2008132193.tif 000007
【図６】
2008132193.tif 000008
【図７】
2008132193.tif 000009
【図８】
2008132193.tif 000010
【図９】
2008132193.tif 000011
【図１０】
2008132193.tif 000012
【図１１】
2008132193.tif 000013
【図１２】
2008132193.tif 000014
【図１３】
2008132193.tif 000015